(57)【要約】【課題】収納棚の意匠性を損なうことなく、棚板が室内の壁面に安定的に設置されるようにすることができるようにする。【解決手段】収納棚構造１は、室内の壁面に取り付けられる取付板２と、取付板２に着脱可能に取り付けられる支持部材５と、支持部材５に支持されて取付板２に設置される棚板１０とを備える。支持部材５は、取付板２に取り付けられるブラケット部６と、ブラケット部６に一体的に設けられて、前方に突出している棒状の支持部８と、支持部８の先端に固着された永久磁石９（第１保持部）とを有する。棚板１０は、後端面に該後端面から前方に延びるように設けられ、支持部８を嵌入する有底状の嵌入穴１９と、嵌入穴１９の底側に設けられ、永久磁石９に吸引保持される第１金属板２１（第２保持部）とを有する。【選択図】図２
2017089202.tif 000002
【特許請求の範囲】
【請求項１】
室内の壁面に設けられる取付板と、該取付板に着脱可能に取り付けられる支持部材と、該支持部材に支持されて前記取付板に設置される棚板と、を備える収納棚構造であって、
前記支持部材は、
前記取付板に着脱可能に取り付けられるブラケット部と、
前記ブラケット部に一体的に設けられ、前方に突出する棒状の支持部と、
前記支持部の先端に固着された永久磁石または強磁性の金属部材からなる第１保持部と、を有し、
前記棚板は、
後端面に該後端面から前方に延びるように設けられ、前記支持部を嵌入する有底状の嵌入穴と、
前記嵌入穴の底側に設けられ、前記第１保持部に吸引保持される強磁性の金属部材または永久磁石からなる第２保持部と、を有する、収納棚構造。
【請求項２】
請求項１に記載の収納棚構造において、
前記第１保持部は、永久磁石からなり、
前記第２保持部は、前記嵌入穴の底部を形成する強磁性の第１金属板からなる、収納棚構造。
【請求項３】
請求項２に記載の収納棚構造において、
前記棚板の前端側には、強磁性の第２金属板が設けられている、収納棚構造。
【請求項４】
請求項１に記載の収納棚構造において、
前記第１保持部は、永久磁石からなり、
前記第２保持部は、前記棚板の前側に設けられた強磁性の角柱または角筒からなる芯材である、収納棚構造。
【発明の詳細な説明】
【技術分野】
【０００１】
本発明は、収納棚構造に関するものである。
【背景技術】
【０００２】
従来から、棚板が取付板などの室内壁面に、その室内壁面に取り付けられる支持部材を用いて支持固定された収納棚構造が知られている。このような収納棚構造として、例えば特許文献１および２のような構造が提案されている。
【０００３】
特許文献１には、棚板嵌入溝および棚板支持部を有する棚板支持部材が取付板などの壁部に取り付けられ、この棚板嵌入溝に嵌め込まれた棚板を下方から棚板支持部で支持することにより、棚板が取付板に固定された棚板支持構造が開示されている。
【０００４】
特許文献２には、壁パネルの前方に突出する円筒状の棚受棒を有し、壁パネルに固定されたレールに沿って水平方向に摺動可能に設けられた支持具と、壁パネル前面に対向する後端面から前方に延びて棚受棒を嵌入する嵌入穴が設けられた棚板とを備える収納棚構造が開示されている。
【先行技術文献】
【特許文献】
【０００５】
【特許文献１】特開２００８−２０６７５１号公報
【特許文献２】特許第２８１７４５９号公報
【発明の概要】
【発明が解決しようとする課題】
【０００６】
特許文献１の棚板支持構造では、棚板が棚板支持部材によって強固に支持されるという利点を有している。しかしながら、棚板支持部材（特に棚板支持部）が外部に露出して容易に視認されるため、収納棚としての意匠性が大きく損なわれてしまうという問題があった。
【０００７】
一方、特許文献２の収納棚構造では、棚板の嵌入穴に棚受棒が差し込まれることで棚板が取付板などの室内壁面に固定されていることから、棚受棒が外部に露出することがなく、収納棚としての意匠性が損なわれることはない。しかしながら、その反面、特許文献２の収納棚構造は、棚板が棚受棒に対して直接的に固定されるような構造を有していない。すなわち、特許文献２の収納棚構造では、棚板の支持状態が不安定であった。このため、棚板の上に比較的重いものが載せられた場合、棚板が下方に傾くことや、棚板が棚受棒から容易に外れてしまうという懸念があった。
【０００８】
本発明は斯かる点に鑑みてなされたものであり、その目的は、収納棚の意匠性を損なうことなく、棚板が室内の壁面に安定的に設置されるようにすることにある。
【課題を解決するための手段】
【０００９】
上記の目的を達成するために、本発明の第１の形態による収納棚構造は、室内の壁面に設けられる取付板と、該取付板に着脱可能に取り付けられる支持部材と、該支持部材に支持されて取付板に設置される棚板と、を備える収納棚構造であって、支持部材は、取付板に着脱可能に取り付けられるブラケット部と、ブラケット部に一体的に設けられ、前方に突出する棒状の支持部と、支持部の先端に固着された永久磁石または強磁性の金属部材からなる第１保持部とを有している。そして、棚板は、後端面に該後端面から前方に延びるように設けられ、支持部を嵌入する有底状の嵌入穴と、嵌入穴の底側に設けられ、第１保持部に吸引保持される強磁性の金属部材または永久磁石からなる第２保持部とを有することを特徴とする。
【００１０】
この第１の形態では、支持部が嵌入穴に嵌入されることにより、棚板が取付板（すなわち室内の壁面）に設置された状態において、支持部材は、外部から視認されることがなく、収納棚構造の意匠性が損なわれないようにすることができる。また、嵌入穴の底側に設けられた第２保持部は、嵌入穴に支持部が嵌入された状態で、支持部の先端に設けられた第１保持部に吸引保持された状態となる。すなわち、棚板は、第１保持部に吸引保持された第２保持部により、支持部材に支持された状態が保たれる。このため、第１の形態では、支持部材により棚板が強固に支持された状態で、棚板を取付板（すなわち室内の壁面）に安定的に設置することができる。また、使用者がある程度の力で棚板を支持部材から取り外す方向に引っ張ることによって、第２保持部を第１保持部から取り外すことも可能である。すなわち、この収納棚構造では、第２保持部が第１保持部に完全に固定された状態になっておらず、支持部を嵌入穴から着脱可能となっているため、棚板の取付位置を事後的に変更することができ、あるいは棚板の取り替えまたは修繕を容易に行うことができる。
【００１１】
第２の形態は、第１の形態において、第１保持部は、永久磁石からなり、第２保持部は、嵌入穴の底部を形成する強磁性の第１金属板からなることを特徴とする。
【００１２】
この第２の形態では、嵌入穴の底部を形成する第１金属板（第２保持部）は、嵌入穴に支持部が嵌入された状態で、支持部の先端に設けられた永久磁石（第１保持部）に吸引保持された状態となる。このため、第１の形態と同様、支持部材により棚板が強固に支持された状態で、棚板を取付板に安定的に設置することができる。また、第１の形態と同様、支持部は嵌入穴から着脱可能となっているため、棚板の取付位置を事後的に変更することができ、あるいは棚板の取り替えまたは修繕を容易に行うことができる。
【００１３】
第３の形態は、第１の形態において、棚板の前端側には、強磁性の第２金属板が設けられていることを特徴とする。
【００１４】
この第３の形態では、棚板の前端側に強磁性の第２金属板が設けられているため、棚板の前端面の適宜の位置に例えばメモ用紙などを保持するマグネットホルダ（すなわち収納棚構造とは別部材のもの）が着脱可能となり、日常生活において収納棚構造をより便利に活用することができる。
【００１５】
第４の形態は、第１の形態において、第１保持部は、永久磁石からなり、第２保持部は、棚板の前側に設けられた強磁性の角柱または角筒からなる芯材であることを特徴とする。
【００１６】
この第４の形態では、嵌入穴の底側に設けられる芯材自体は、それ自体が強磁性体として、支持部の先端に設けられた永久磁石（第１保持部）に吸引保持される。このため、支持部材により棚板を強固に支持した状態で棚板を取付板に設置することができるとともに、棚板の前側に配置される芯材が第２保持部の機能を備えることによって収納棚構造の部材点数を減らすことができる。さらに、芯材の前端面自体も強磁性体となっているため、棚板の前端面の適宜の位置に例えばメモ用紙などを保持するマグネットホルダなどが着脱可能となり、日常生活において収納棚をより便利に活用することができる。
【発明の効果】
【００１７】
以上説明したように、本発明によると、収納棚の意匠性を損なうことなく、支持部材により棚板が強固に支持された状態で、棚板を取付板（すなわち室内の壁面）に安定的に設置することができる。また、棚板の取付位置を事後的に変更することができ、あるいは棚板の取り替えまたは修繕を容易に行うことができる。
【図面の簡単な説明】
【００１８】
【図１】図１は、本発明の第１実施形態に係る収納棚構造を示す斜視図である。
【図２】図２は、図１のII−II線断面図である。
【図３】図３は、図２のIII−III線断面図である。
【図４】図４は、第１実施形態の変形例１に係る収納棚構造を示す図３相当図である。
【図５】図５は、第２実施形態に係る収納棚構造を示す図２相当図である。
【図６】図６は、第２実施形態に係る収納棚構造を示す図３相当図である。
【発明を実施するための形態】
【００１９】
以下、本発明の実施形態を図面に基づいて詳細に説明する。以下の各実施形態の説明は、本質的に例示に過ぎず、本発明、その適用物或いはその用途を制限することを意図するものではない。
【００２０】
［第１実施形態］
図１〜図３に、本発明の第１実施形態に係る収納棚構造１を示す。この収納棚構造１は、例えば建物の室内壁面に設置される収納棚として用いられるものである。図１〜図３に示すように、収納棚構造１は、室内の壁面に取り付けられる取付板２を備えている。この取付板２は、例えばＭＤＦ、合板、ＬＶＬ、ＬＶＳ、パーティクルボード、その他の木質材料等から構成されている。なお、図２および図３の各断面図においては、図示の便宜上、取付板２のハッチングを省略している。
【００２１】
また、取付板２の前面には、後述する棚板１０，１０，…を設置するための左右一対の棚柱３，３が埋設されている。棚柱３，３は、例えば鉄等の金属部材または樹脂部材からなり、上下に延びる細長い角筒状に形成されている。この棚柱３，３の前面には、一定の間隔で上下一列に設けられた矩形状の係止穴４，４，…が棚柱３，３の壁部を貫通するように設けられている。
【００２２】
次に、図２および図３に示すように、収納棚構造１は、取付板２に対して着脱可能に取り付けられる支持部材５，５を備えている。支持部材５は、取付板２の棚柱３に取り付けられるブラケット部６を有している。このブラケット部６は、平面視Ｌ字状の板状に形成されており、その後端部分には、側面視で下方に向いた鉤爪状の２つのフック部７，７が上下に一定の間隔を空けてそれぞれ設けられている。すなわち、支持部材５は、各フック部７，７が棚柱３に設けられた係止穴４，４，…に係止された状態で、取付板２に取り付けられている。なお、支持部材５の取付位置を変更する場合は、係止穴４，４，…からフック部７，７を一旦取り外し、所望の係止穴４，４，…に再度フック部７，７を係止すればよい。
【００２３】
また、ブラケット部６の前側部分には、後述する棚板１０を取付板２に設置するための支持部８が設けられている。この支持部８は、前方に突出した棒状に、具体的には、後述する前側外周芯材１２の後端面１２ｂ付近まで前方に延びるように形成されている。支持部８は、例えば溶接などによりその後端部がブラケット部６に一体に接合されている。
【００２４】
さらに、図２および図３に示すように、支持部８の先端には、後述する棚板１０を保持するための永久磁石９（第１保持部）が固着されている。この永久磁石９は、例えば円柱状または角柱状に形成されたアルニコ磁石、フェライト磁石、ネオジム磁石などからなり、接着剤などによって支持部８の先端に固着されている。
【００２５】
次に、図１に示すように、収納棚構造１は、取付板２に設置される平板状の棚板１０，１０，…を備えている。図２に示すように、棚板１０の外周部分は、３本の芯材を組み合わせた三方枠１１により構成されている。この三方枠１１は、棚板１０の前側に配置されている前側外周芯材１２と、この前側外周芯材１２の両側に固定されている左右外周芯材１３，１３と、を有している。また、この三方枠１１の内側（すなわち棚板１０の内周部分）には、４本の芯材を組み合わせた四方枠１４が設けられている。この四方枠１４は、前側外周芯材１２の後端面１２ｂに固定されている前側内周芯材１５と、この前側内周芯材１５に対向しかつ棚板１０の後側に配置されている後側内周芯材１６と、前側内周芯材１５および後側内周芯材１６の左右両側のそれぞれに固定されている左右内周芯材１７，１７と、を有している。これらの芯材は、例えばＭＤＦ、合板、ＬＶＬ、ＬＶＳ、パーティクルボード、その他の木質材料等から構成されている。
【００２６】
また、図２および図３に示すように、棚板１０の上下面、前端面、および左右端面には、棚板１０の化粧表面材としての薄板１８が設けられている。この薄板１８は、例えば０．５〜２．０ｍｍ程度に形成されたＭＤＦ薄板が好適である。また、薄板１８は、いわゆるＶカット製法により、棚板１０の各コーナー部に相当する位置に複数のＶ溝が加工されている。そして、薄板は、各Ｖ溝がコーナー部のそれぞれに沿うように折り曲げられて、三方枠１１および四方枠１４により構成される棚板１０の骨格全体を覆い、その状態で接着剤により三方枠１１および四方枠１４に貼り付けられている。なお、図２および図３の各断面図においては、図示の便宜上、薄板１８のハッチングを省略している。
【００２７】
図２および図３に示すように、棚板１０後端面の左右両端部には、支持部８を嵌入するための有底状の嵌入穴１９が形成されている。この嵌入穴１９は、棚板１０の後端面から前方に延びるように設けられている。具体的には、嵌入穴１９は、左右外周芯材１３，１３と左右内周芯材１７，１７との間であって、上下面に配置された薄板１８に囲われた空間として構成されている。そして、支持部８が嵌入穴１９に嵌入されることにより、棚板１０が取付板２（すなわち室内の壁面）に設置された状態において、支持部材５は、外部から視認されることがなく、収納棚構造１の意匠性が損なわれないようになっている。
【００２８】
また、前側外周芯材１２の後端面１２ｂには、左右に延びる平板状の第１金属板２１（第２保持部）が接着剤またはねじ止め等により固着されている。この第１金属板２１は、強磁性の金属材料（例えば鉄、コバルト、ニッケルなど）からなり、嵌入穴１９，１９の底部を形成している。さらに、前側外周芯材１２の前端面１２ａ（すなわち棚板１０の前端側）にも、第１金属板２１と同様、強磁性の金属材料からなる平板状の第２金属板２２が接着剤またはねじ止め等により固着されている。
【００２９】
この実施形態では、図２および図３に示すように、嵌入穴１９の底部を形成する第１金属板２１は、嵌入穴１９に支持部８が嵌入された状態で、支持部８の先端に設けられた永久磁石９に吸引保持された状態となる。すなわち、棚板１０は、永久磁石９に吸引保持された第１金属板２１により、支持部材５に支持された状態が保たれる。このように、収納棚構造１では、収納棚の意匠性を損なうことなく、支持部材５により棚板１０が強固に支持された状態で、棚板１０を取付板２（すなわち室内の壁面）に安定的に設置することができる。
【００３０】
また、使用者がある程度の力で棚板１０を支持部材５から取り外す方向（前方）に引っ張ることによって、第１金属板２１を永久磁石９から取り外すことも可能である。すなわち、第１金属板２１が永久磁石９に完全に固定された状態になっておらず、支持部８が嵌入穴１９から着脱可能となっているため、棚板１０の取付位置を事後的に変更することができ、あるいは棚板１０の取り替えまたは修繕を容易に行うことができる。
【００３１】
さらに、収納棚構造１では、前側外周芯材１２の前端面１２ａ（棚板１０の前端側）に、強磁性の第２金属板２２が設けられているため、図２および図３の二点鎖線で示すように、棚板１０の前端面の適宜の位置に例えばメモ用紙などを保持するマグネットホルダＭが着脱可能となり、日常生活において収納棚構造１をより便利に活用することができる。同様に、裏面の上下２ヶ所にマグネットが固着された縦長のパネルＰ（図１参照）のようなものも棚板１０，１０の前端面に取り付けることが可能となる。
【００３２】
［第１実施形態の変形例１］
この実施形態において、第１および第２金属板２１，２２はいずれも平板状に形成された形態を示したが、この形態に限られない。図４に示すように、第１および第２金属板２１，２２は、例えば断面視Ｌ字状に形成されたものであってもよい。要は、第１金属板２１が永久磁石９に吸引保持され、第２金属板２２が棚板１０の前端面に設けられることによりメモ用紙などを保持するマグネットホルダＭやパネルＰなどが棚板１０の前端面に対して着脱可能となる形態であればよい。
【００３３】
［第１実施形態の変形例２］
この実施形態では、支持部８の先端に固着された第１保持部を永久磁石９とし、嵌入穴１９の底側に設けられた第１保持部に吸引保持される第２保持部を強磁性の第１金属板２１としたが、この形態に限られない。例えば、支持部８の先端に対向する前側外周芯材１２の後端面１２ｂに永久磁石９を接着剤または両面テープにより固着してもよい。この場合、支持部８の先端に強磁性の金属材料から構成される部材が設けられた形態であればよい。または、支持部８自体が強磁性の金属材料からなるもの（例えば鉄棒）であってもよい。
【００３４】
［第２実施形態］
図５および図６は、本発明の第２実施形態に係る収納棚構造１を示す。この実施形態は、第１の実施形態の木質材料などからなる前側外周芯材１２およびそれに固着されている第１および第２金属板２１，２２の構成を別構成の芯材に置き換えたものである。なお、この実施形態に係る収納棚構造１の他の構成は、第１実施形態に係る収納棚構造１の構成と同様である。このため、以下の説明では、図１〜図４と同じ部分について同じ符号を付し、その詳細な説明を省略する。
【００３５】
図５および図６に示すように、この実施形態では、前側外周芯材１２として、棚板１０の前側に設けられた角筒からなる芯材が用いられている。そして、この前側外周芯材１２は、強磁性の金属材料（例えば鉄、コバルト、ニッケルなど）からなる。すなわち、前側外周芯材１２の後端面１２ｂは、それ自体が強磁性体となり、嵌入穴１９，１９の底部となって、支持部８の先端に設けられた永久磁石９（第１保持部）に吸引保持される部材（すなわち第２保持部）として構成されている。したがって、この実施形態では、第１実施形態と同様、支持部材５により棚板１０を強固に支持した状態で棚板１０を取付板２に設置することができるとともに、前側外周芯材１２が第２保持部の機能を備えることによって収納棚構造１における部材点数を減らすことができる。
【００３６】
また、前側外周芯材１２の前端面１２ａも強磁性体となっているため、第１実施形態と同様、棚板１０の前端面の適宜の位置に例えばメモ用紙などを保持するマグネットホルダＭやパネルＰなどが着脱可能となり、日常生活において収納棚をより便利に活用することができる。
【００３７】
さらに、この実施形態では、前側外周芯材１２の上下面も強磁性体となっているため、例えば上面にマグネットが固定されたフック部材Ｆ（図６参照）を前側外周芯材１２の下面に取り付けて、このフック部材Ｆに生活用品などを引っ掛けることが可能となる。
【００３８】
［第２実施形態の変形例１］
この実施形態では、前側外周芯材１２として、棚板１０の前側に設けられた角筒からなる芯材が用いられているが、この形態に限られない。例えば、前側外周芯材１２は、中空状の角柱からなる芯材であってもよい。
【００３９】
［第２実施形態の変形例２］
この実施形態では、支持部８の先端に永久磁石９（第１保持部）を設けた構成としたが、この形態に限られない。例えば、支持部８の先端に対向する前側外周芯材１２の後端面１２ｂに永久磁石９を接着剤または両面テープにより固着してもよい。この場合、支持部８の先端に強磁性の金属材料から構成される部材が設けられた形態であればよい。または、支持部８自体が強磁性の金属材料からなるもの（例えば鉄棒）であってもよい。
【００４０】
［その他の実施形態］
上記各実施形態では、Ｖカット製法により、薄板１８（ＭＤＦ薄板）に加工した各Ｖ溝が棚板１０におけるコーナー部のそれぞれに沿うように折り曲げられて、薄板１８が三方枠１１および四方枠１４に貼り付けられた形態を示したが、この形態に限られない。例えば、いわゆるフラッシュ製法により、三方枠１１および四方枠１４により構成される棚板１０の骨格の上下面に薄板ＭＤＦをそれぞれ貼り付けかつ前側外周芯材１２の前端面１２ａに０．５〜２．０ｍｍ程度の樹脂製エッジ材を貼り付けた形態であってもよい。あるいは、真空吸引によるラッピング製法により、三方枠１１および四方枠１４により構成される棚板１０の骨格全体に表面化粧材としてのシート材を貼り付ける形態であってもよい。
【００４１】
また、上記各実施形態に係る収納棚構造１では、棚板１０が四方枠１４（前側内周芯材１５、後側内周芯材１６、左右内周芯材１７，１７）を備える形態としたが、この形態に限られない。すなわち、四方枠１４を構成せず、左右内周芯材１７，１７のみを前側外周芯材１２の後端面１２ｂに直接取り付けて、左右外周芯材１３，１３と左右内周芯材１７，１７との間に嵌入穴１９を形成するようにしてもよい。
【００４２】
さらに、上記各実施形態に係る収納棚構造１では、取付板２に棚板１０，１０，…を設置した形態を示したが、この形態に限られない。例えば、収納棚構造１は、取付板２に対して左右側板、天板、底板、および背板のそれぞれが設けられた箱状の吊り棚を設置した形態であってもよい。
【００４３】
以上、本発明についての実施形態を説明したが、本発明は上述の実施形態のみに限定されず、発明の範囲内で種々の変更が可能である。
【産業上の利用可能性】
【００４４】
本発明は、建物の室内壁面に設置される収納棚等として産業上の利用が可能である。
【符号の説明】
【００４５】
１：収納棚構造
２：取付板
３：棚柱
４：係止穴
５：支持部材
６：ブラケット部
７：フック部
８：支持部
９：永久磁石
１０：棚板
１１：三方枠
１２：前側外周芯材
１２ａ：前端面
１２ｂ：後端面
１３：左右外周芯材
１４：四方枠
１５：前側内周芯材
１６：後側内周芯材
１７：左右内周芯材
１８：薄板
１９：嵌入穴
２１：第１金属板
２２：第２金属板
Ｈ：マグネットホルダ
【図１】
2017089202.tif 000003
【図２】
2017089202.tif 000004
【図３】
2017089202.tif 000005
【図４】
2017089202.tif 000006
【図５】
2017089202.tif 000007
【図６】
2017089202.tif 000008